(57)【要約】  装置は、ユーザの手のグローブまたは他のカバー要素とスポーツ練習用のポールとを連結するために、ここに記載される。装置は、ポールに結合されたまたは結合可能な第１磁気連結要素と、グローブまたは他のカバー要素に結合されたまたは結合可能な第２磁気連結要素とを含む。第１要素は、ポールのハンドルに配置され、第２要素は、親指と人さし指との間のエリアに相当するユーザの手に位置決めされるように配置されている。
2020512032.tif 000002
【特許請求の範囲】
【請求項１】
ユーザの手のグローブまたは他のカバー要素を、スポーツ練習用のポールに、特にスキーポールに連結するための装置であって、
前記ポールの上端部近くで、前記ポールに結合された、または結合可能な、少なくとも１つの第１磁気連結要素と、
前記グローブまたは前記他のカバー要素に結合された、または結合可能な、少なくとも一つの第２磁気連結要素とを備え、
前記第１磁気連結要素及び前記第２磁気連結要素の少なくとも一つは、永久磁石であり、
前記第１磁気連結要素は、前記ポールのハンドルに配置され、
前記第２磁気連結要素は、親指と人さし指との間のエリアに相当するユーザの手のひらに位置決められる、装置。
【請求項２】
ユーザの手の前記グローブまたは前記他のカバー要素と前記ポールとの間の前記連結は、追加要素の補助なしで、前記第１磁気連結要素と前記第２磁気連結要素との間の磁力のみにより提供される、請求項１に記載の装置。
【請求項３】
前記第１磁気連結要素及び前記第２磁気連結要素は、両方とも永久磁石である、請求項１または２に記載の装置。
【請求項４】
前記第１磁気連結要素または前記第２磁気連結要素のいずれか一方は、非磁化強磁性物質から形成される、請求項１〜３の何れか一項に記載の装置。
【請求項５】
前記第１磁気連結要素は、前記ポールの前記ハンドル周りに適用可能なストラップに支持される、請求項１〜４の何れか一項に記載の装置。
【請求項６】
前記第１磁気連結要素は、前記ポールの前記ハンドルに一体化されている、請求項１〜５の何れか一項に記載の装置。
【請求項７】
前記第２磁気連結要素は、前記グローブに装着されたストラップまたはシースに支持される、請求項１〜６の何れか一項に記載の装置。
【請求項８】
前記第２磁気連結要素は、ユーザの手に直接着用できるハンドカバーシースに支持される、請求項１〜６の何れか一項に記載の装置。
【請求項９】
前記第２磁気連結要素は、前記グローブに直接的に一体化されている、請求項１〜６の何れか一項に記載の装置。
【請求項１０】
前記第１磁気連結要素および前記第２磁気連結要素は、相互接触のために配置された平らな前面を有する、請求項１〜９の何れか一項に記載の装置。
【請求項１１】
第３連結要素が、ユーザのスキー板のそれぞれに結合されることによって、前記第１磁気連結要素が前記第３連結要素に結合できる、請求項１〜１０の何れか一項に記載の装置。
【請求項１２】
前記第１磁気連結要素は、ハンドル内で一体化され、ユーザによって握られるハンドルの外面近くに配置されることによって、ユーザの手の前記グローブまたは他のカバー要素と前記ポールとの間の磁気連結を生み出す、請求項１〜１１の何れか一項に記載の装置。
【請求項１３】
前記ハンドルは、実質的に平らな面を有する垂直壁及び前記垂直壁に対して実質的に９０度で配置された水平壁を有する溝部を含み、
前記第１磁気連結要素は、前記溝部に隣接して前記ポールの前記ハンドル内で一体化されている、請求項１２に記載の装置。
【請求項１４】
前記ハンドルは、実質的に平らな面を有する垂直壁及び前記垂直壁に対して実質的に９０度で配置された水平壁を有する溝部を含み、
前記第１磁気連結要素は、前記垂直壁に隣接して前記ハンドルの外面に配置されている、請求項１〜１１の何れか一項に記載の装置。
【発明の詳細な説明】
【技術分野】
【０００１】
本発明は、ユーザの手のグローブまたは他のカバー要素をスポーツ練習用のポール、具体的にはスキーポールに連結するための装置に関し、装置は、前記ポールの上端部近くで、前記ポールに結合された、または、結合可能な、少なくとも一つの第１磁気連結要素と、前記グローブまたは前記他のカバー要素に結合され、または結合可能な、少なくとも一つの第２磁気連結要素とを備え、前記第１磁気連結要素及び前記第２磁気連結要素の少なくとも一つは、永久磁石である。
【背景技術】
【０００２】
上記のタイプの例示的な装置は、文献ＩＴ  １０９  ２８  ３５  Ｂに記載及び説明されている。
【０００３】
具体的なスキーポールの事例では、ほとんどの従来の解決策は、ポールに対して動かないようにされる得るユーザの手によって、ポールに結合されているストラップなどを含む。しかしながら、そのような装置の欠点の一つは、スキーリフトシステムによる移動の終点に到達したユーザが、ポールハンドル（グリップ）のストラップを手首の上に向けて挿入することを止めざるを得ないことにある。この作業は、スキーリフトシステムのステーションへの到着寸前で、ユーザに時間の浪費させること、及び、小さな混雑を作ることを引き起こす。さらに、落下の場合に、ストラップと一緒のポールは、ユーザの手首に結び付いたままであり、結果として、けがの可能性が生み出される。
【０００４】
装置は、ポール及びグローブを機械的に連結するために、既に、提案され、それか、機械的な装置に加えて、磁気タイプの装置もまた提供される。このタイプの連結装置は、文献ＣＡ  ２９１  １８  ９９  Ａ１に記載されている。
【０００５】
機械的及び磁気的な拘束の両方を有する装置の複雑さを単純化するために、完全に磁気的な装置また開発されている。このタイプの連結装置は、上述の文献ＩＴ  １０９  ２８  ３５  Ｂに記載されている。しかしながら、今までに製造された、この後者のタイプの装置は、各種の観点に照らして完全に満足されておらず、特に、使用の単純さ及び容易さの観点で、及び、グローブとポールとの間のグリップ手順の効率の観点で、完全に満足されていない。
【発明の概要】
【０００６】
［本発明の目的］
本発明の目的のため、本説明の先頭で示されたタイプの装置であって、単純及び機能的であり、且つ、低生産コストである装置を提供する。 
【０００７】
追加の目的は、当初から磁気連結要素と共に製造されるグローブ及びポール、並びに、これらの製造時に磁気要素を含まないグローブ及びポールの両方に実行されるのに適切な、多用途の連結装置を提供する。
【０００８】
［本発明の概要］
上記の目的の実現を考慮して、本発明は、ユーザの手のグローブまたは他のカバー要素をスポーツ練習用のポール、特にスキーポールに連結するための装置に関し、本説明の先頭で示された全ての特徴を含み、更に、前記第１要素は、前記ポールのハンドルに配置され、前記第２要素は、親指と人さし指との間のエリアに相当するユーザの手のひらに位置決められることを特徴とする。
【０００９】
本発明は、請求項の装置をグローブに一体化することによって適用でき、初めからポールに一体化することによって適用でき、または、当初は、この装置なしで、請求項の装置にグローブ及びポールを適用する可能性を提供することによって適用できる。また、この事例は、グローブに結合されるのではなく、例えば、ストラップ、または、手のカバー要素の形式で、手の他のカバー要素に結合される装置も想定される。
【００１０】
本発明に係る装置の関連のある特徴によれば、ユーザの手のグローブまたは他のカバー要素とポールとの連結は、更なる要素の補助なく、単に、第１要素と第２要素との間の磁力に起因して実現される。
【００１１】
本発明の第１の実施形態によれば、第１要素及び第２要素は、両方とも永久磁石であり、さらに、代替的な実施形態では、第１要素または第２要素のいずれか一方は、非磁化強磁性物質から作られている。
【００１２】
装置の好ましい実施形態によれば、ポールハンドルは、実質的に平らな面を伴う垂直壁、及び垂直壁に対して実質的に９０度で配置された水平壁を有する溝部を含み、第１要素は、ポールハンドル内で一体化されて、前記溝部に隣接して配置される。
【００１３】
添付された請求項及び後段の記載に示された、上記の特徴及び追加の特徴の結果、本発明に係る装置は、所定の目的を実現する。
【図面の簡単な説明】
【００１４】
本発明の更なる特徴及び利点は、限定されない実施例によって単に提供された、添付図面を参照して後述される記載から明らかになる。
【図１Ａ】具体的には、グローブに結合され、または、結合可能な磁気連結要素の斜視図である。
【図１Ｂ】具体的には、グローブに結合され、または、結合可能な磁気連結要素の斜視図である。
【図２Ａ】具体的には、スキーポールに結合され、または、結合可能な磁気連結要素の斜視図である。
【図２Ｂ】具体的には、スキーポールに結合され、または、結合可能な磁気連結要素の斜視図である。
【図３Ａ】本発明に係る装置の代替的な実施形態を示す斜視図である。
【図３Ｂ】本発明に係る装置の代替的な実施形態を示す斜視図である。
【図３Ｃ】本発明に係る装置の代替的な実施形態を示す斜視図である。
【図３Ｄ】本発明に係る装置の代替的な実施形態を示す斜視図である。
【図４Ａ】本発明の代替的な実施形態の詳細を示す図である。
【図４Ｂ】本発明の代替的な実施形態の詳細を示す図である。
【図５】図３Ｄに示される装置の斜視図である。
【図６】本発明に係る装置に結合可能なスキー板を示す図である。
【図７】本発明に係る装置の実施形態を示す図である。
【図８】本発明に係る装置の実施形態を示す図である。
【発明を実施するための形態】
【００１５】
添付図面には、ユーザの手をスポーツ練習用のポール４に連結するための本発明に係る装置が示される。具体的には、示された実施形態を参照し、ポール４は、スキーポールであるが、また、当然ながら本発明は、他のスポーツ練習用に構成されたポール（例えば、トレッキングポール）のための連結装置にも適用できる。
【００１６】
より詳細には、本発明に係る装置は、ポール４及びグローブ１（図１Ａ，図３Ａ，図３Ｂ）の連結のために設計され、または、代替的に、ポール４及びグローブ１に結合可能な他のカバー要素２（図１Ｂ、図３Ｃ、図３Ｄ、図４Ａ、図４Ｂ、図５）の連結のために設計されている。
【００１７】
本発明の基本的な特徴によれば、装置は、ポール４の上端部の一つに結合された第１磁気連結要素Ａと、グローブ１に結合された第２磁気連結要素Ｂとを備える。具体的には、本発明に係る装置の全体図（図５）に示されるように、第１磁気連結要素Ａは、ポール４のハンドル４０に正確に配置され、さらに、第２磁気連結要素Ｂは、親指と人さし指との間のエリアに相当するユーザの手のひらに位置決められるように配置される。
【００１８】
上述された位置への二つの磁気連結要素Ａ，Ｂの配置の結果、第１磁気連結要素Ａと第２磁気連結要素Ｂとの間で発揮された磁力は、グローブ１とポール４との間の迅速の連結を可能とする。 
【００１９】
本発明の第１の実施形態によれば、第１要素Ａ及び第２要素Ｂは、両方とも永久磁石である。代替として、第１要素Ａまたは第２要素Ｂのいずれか一方は、永久磁石からなる他の要素に引き付けられるように、非磁化強磁性物質から作られている。基本的に、本発明に係る装置を有効とするためには、第１要素Ａ及び第２要素Ｂのうちの一方だけが永久磁石である必要がある。
【００２０】
図３Ａ、図３Ｂ、図３Ｃ、図３Ｄは、本発明に係る装置の各種の実施形態を例示する。図３Ａでは、第１要素Ａは、ポール４のハンドル４０の周りに適用され得るストラップ３によって支持され、第２要素Ｂは、グローブ１に一体化されている。図３Ｂでは、第１要素Ａ及び第２要素Ｂは、ポール４のハンドル４０に、グローブ１に、それぞれ一体化されている。図３Ｃでは、第１要素Ａは、ポール４のハンドル４０に一体化され、第２要素Ｂは、グローブ１に装着されたストラップ２（またはシース）に支持されている。図３Ｄでは、第１要素Ａは、ポール４のハンドル４０の周りに適用され得るストラップ３によって支持され、第２要素Ｂは、グローブ１に装着されたストラップ２（またはシース）によって支持されている。
【００２１】
また、上述された実施形態によれば、本発明に係る装置は、当初から一体化された要素Ａ，Ｂと一緒に提供されていないポール及び／又はグローブの事例において実施され得る。
【００２２】
更に、本発明に係る装置が、ポールの補助を用いるウィンタースポーツではない歩行タイプのために使用される事例では、手を覆うストラップによって支持された第２要素Ｂの形態の装置に使用することが可能であり、図３Ｃ及び図３Ｄに示されたものと全く同様のやり方で（グローブ１上のストラップ２）、ユーザの手に直接着用され得る（図示されていない）。
【００２３】
本発明に係る装置の基本的な特徴によれば、ユーザの手とポール４との間の連結は、機械的な拘束を生み出す追加要素（ひもまたは留め金のような密着要素）の補助なく、単に、第１要素Ａと第２要素Ｂとの間で発揮された磁力に起因して実現される。この特徴の結果、本発明に係る装置は極めて簡単な構造で、ユーザの手とポールとの間の効率的なグリップを提供する。
【００２４】
２つの要素Ａ，Ｂ（図５）の接触によって提供された磁力の強度は、ユーザの年齢に応じて調整される。成人男性のための例では、０℃において、それぞれの永久磁石のために、８．３４ｋｇｆの吸着力が適切であるとみなす。 
【００２５】
上述されたように、グローブ及びポールの両方に永久磁石を提供する必要はなく、実際には、有効な連結を得るために必要な磁力は、一側（ポールまたはグローブ）だけに適用された永久磁石と、他側に適用された強磁性の性質を伴う材料との間で適用される。更に、有効な拘束を達成するための磁力の強度を修正するために、同じ側（グローブ及び／又はポール）に複数の永久磁石／強磁性物質を結合することもできる。
【００２６】
図４Ｂに示される本発明の他の好ましい特徴によれば、２つの磁気連結要素Ａ，Ｂは、相互接触のために配置された平らな前面を有する。また、例えば、立方体の形態で作られ永久磁石は、上述されたように、グローブ及び／又はポールに互いに結合されることができる。
【００２７】
本発明に係る装置の上記の構造の結果、磁気連結要素Ａ，Ｂに加えて他の要素の補助なくポール４のハンドル４０への即時かつ有効な連結を得ることができる。同時に、ハンドル４０の第１要素Ａの配置、及び、親指と人さし指との間におけるグローブ１の第２要素Ｂの配置の結果、装置の磁力は、落下の場合に、自発的または無意識の両方で、ポール４からユーザの手が離れ易くするために、過度ではない。第２磁気連結要素２が親指と人さし指との間のエリアに相当するユーザの手のひらに配置されているという事実の結果、ユーザの手の一部は、第１要素Ａと第２要素Ｂとの間で発揮された磁気引力に対して自由であり、その結果、さらにポール４を維持することによって（例えば、雪の中にそれを指すことによって）、ユーザの手は、回転移動を発揮することによって、磁気引力からそれ自体を自由にすることができる。
【００２８】
図７および図８は、本発明の特に有利な実施形態を示し、第１要素Ａは、グローブに装着されたストラップ／シース２によって、又は、ユーザのグローブによって直接、支持された磁気要素Ｂに効果的に連結され得るように、第１要素Ａは、ポールのハンドル４０内で一体化され、ユーザによって握られることが可能なポール部分の外面近くに配置される。ハンドル４０の中に第１磁気要素Ａの挿入を可能とするために、ハンドル４０は、その中及びキャップの内部に要素Ａを受け入れるために配置された中空部分を含み、ハンドル４０の上部に相当する部分は、上記の中空部分の近くに配置される。 
【００２９】
さらに、再び、図７及び図８を参照し、ハンドル４０は、実質的に平らな面を有する垂直壁６１及び前記垂直壁６１に対して実質的に９０度で配置された水平壁６０を有する溝部６を含む。ハンドル４０中に一体化されている要素Ａの実施形態では、要素Ａは、溝部６に隣接して、具体的には、垂直壁６１に隣接して配置される。
【００３０】
ハンドル４０中の磁気連結要素Ａの配置の結果、磁気吸着力の持続時間は、ハンドル４０の外に配置された要素Ａの場合に対してかなりに増加する。
【００３１】
更に、溝部６は、ポールとユーザの手との間の連結を改善することを可能とし、この溝部がないハンドルと比較してより高い摩擦を得られる。摩擦及び磁気連結力は、ユーザの手と装置との間の極めて有効な連結を引き起こす。
【００３２】
また、第１磁気連結要素Ａの近くに配置された溝部６の垂直壁６１（図８）は、例えば、ユーザがこのスキーリフトシステムの使用している間、ポールがスキーリフトシステム（チェア−リフト、ケーブルカー、または、スキー−リフト）の金属要素に取り付けられることを可能とする。
【００３３】
本発明の他の特性によれば、第３の磁気連結要素Ｃ（例えば、強磁性の性質を有するステッカー）は、第１要素Ａが第３要素Ｃに連結されることができるように、（スキーのために使用される本発明に係る装置の事例において）ユーザのスキー板５のそれぞれに結合される。
【００３４】
上記の構造の結果、本発明に係る装置は、シンプルであり、機能的であり、信頼でき、低生産コストである。 
【００３５】
また、製造された装置は、それらの製造時に磁気要素を含まないグローブ及びポールと同様に、磁気要素を収容するために当初から設計されたグローブ及びポールの両方が実施され得るので、高い多用途性を有する。
【００３６】
当然ながら、本発明の原理を損なうことなく、構造の詳細および実施形態は、本発明の範囲から逸脱することなく、単に例として説明および示されたものから大きく変化してよい。
【図１Ａ】
2020512032.tif 000003
【図１Ｂ】
2020512032.tif 000004
【図２Ａ】
2020512032.tif 000005
【図２Ｂ】
2020512032.tif 000006
【図３Ａ】
2020512032.tif 000007
【図３Ｂ】
2020512032.tif 000008
【図３Ｃ】
2020512032.tif 000009
【図３Ｄ】
2020512032.tif 000010
【図４Ａ】
2020512032.tif 000011
【図４Ｂ】
2020512032.tif 000012
【図５】
2020512032.tif 000013
【図６】
2020512032.tif 000014
【図７】
2020512032.tif 000015
【図８】
2020512032.tif 000016
【国際調査報告】
2020512032.tif 000017
2020512032.tif 000018
2020512032.tif 000019